(57)【要約】【課題】太陽の高度が変化しても、効率よく安定して採光でき、屋内全体の明るさの向上を図ることができる光学フィルムを提供すること。【解決手段】採光フィルム１に、光を透過する複数の透明層９と、光を反射する複数の空気層１０とを備え、複数の透明層９を上下方向に互いに間隔を隔てて配置し、複数の空気層１０のそれぞれを複数の透明層９のうち互いに隣り合う透明層９の間のそれぞれに介在させる。そして、複数の透明層９に、第１透明層２０と、屈折率が、第１透明層２０の屈折率よりも小さい第２透明層２１とを備える。【選択図】図７
2015197500.tif 000002
【特許請求の範囲】
【請求項１】
光を透過するように構成される複数の透明層と、光を反射するように構成される複数の反射層とを備える光学フィルムであって、
前記複数の透明層は、前記光学フィルムの厚み方向と直交する第１方向に、互いに間隔を隔てて配置され、
前記複数の反射層のそれぞれは、前記複数の透明層のうち互いに隣り合う透明層の間のそれぞれに介在され、
前記複数の透明層は、
第１透明層と、
屈折率が、前記第１透明層の屈折率よりも小さい第２透明層とを含んでいることを特徴とする、光学フィルム。
【請求項２】
前記第１透明層の屈折率と、前記第２透明層の屈折率との差は、０．０５〜０．３であることを特徴とする、請求項１に記載の光学フィルム。
【請求項３】
前記複数の透明層において、前記第１透明層と前記第２透明層とは、前記第１方向において交互に配置されていることを特徴とする、請求項１または２に記載の光学フィルム。
【発明の詳細な説明】
【技術分野】
【０００１】
本発明は、光学フィルム、詳しくは、家屋などの建築物の採光に用いられる光学フィルムに関する。
【背景技術】
【０００２】
従来より、建築物の屋内の明るさなどの環境を調整するために、太陽光を屋内に導入すること、いわゆる、採光（太陽光照明、昼光照明とも呼ばれる。）が知られている。しかるに、近年、環境負荷低減の観点から、より効率的に太陽光を屋内に導入し、日中における人工照明の利用を低減することが望まれている。
【０００３】
そこで、光の屈折、回折または反射などの光学的作用により、光の進行方向を変更可能な光学部材を、窓などに取り付け、太陽光を屋内に効率的に導入し、屋内の明るさの向上を図ることが種々検討されている。
【０００４】
そのような光学部材として、例えば、水平方向に延びる複数のスリットが、上下方向に一定間隔で配列される透明なプラスチック板が提案されている（例えば、特許文献１参照）。
【０００５】
そして、そのようなプラスチック板は、例えば、家屋の窓などに設置され、窓を介して室外から入射した太陽光を反射および屈折して、採光する。
【先行技術文献】
【特許文献】
【０００６】
【特許文献１】特開２０００−２６８６１０号公報
【発明の概要】
【発明が解決しようとする課題】
【０００７】
しかるに、太陽の高度は、日中において時間の経過とともに変化し、また、日にち（季節）が異なれば、同時刻であっても相異する。
【０００８】
しかし、特許文献１に記載のプラスチック板は、太陽の高度が特定の範囲内であるときに、太陽光を採光して、屋内の明るさを向上することができるが、太陽の高度が特定の範囲外であると、効率よく採光できず、屋内の明るさを十分に確保することができない場合がある。
【０００９】
そこで、本発明の目的は、太陽の高度が変化しても、効率よく安定して採光でき、屋内全体の明るさの向上を図ることができる光学フィルムを提供することにある。
【課題を解決するための手段】
【００１０】
本発明の光学フィルムは、光を透過するように構成される複数の透明層と、光を反射するように構成される複数の反射層とを備える光学フィルムであって、前記複数の透明層は、前記光学フィルムの厚み方向と直交する第１方向に、互いに間隔を隔てて配置され、前記複数の反射層のそれぞれは、前記複数の透明層のうち互いに隣り合う透明層の間のそれぞれに介在され、前記複数の透明層は、第１透明層と、屈折率が、前記第１透明層の屈折率よりも小さい第２透明層とを含んでいることを特徴としている。
【００１１】
このような構成によれば、複数の反射層のそれぞれが、複数の透明層のうち互いに隣り合う透明層の間のそれぞれに介在されているので、複数の反射層は、第１方向に互いに間隔（透明層）を隔てて配置されており、透明層は、複数の反射層のうち互いに隣り合う反射層に挟まれている。
【００１２】
そのため、この光学フィルムを第１方向が上下方向に沿うように、家屋の窓などに設置すれば、屋外からの太陽光は、透明層に入射した後、その透明層の下側に配置される反射層に上方に向かって反射されて、透明層から屋内に導入される。その後、導入された太陽光は、天井部などに反射されて、屋内全体を照らす。これによって、屋内全体の明るさの向上を図ることができる。
【００１３】
しかるに、透明層に入射された光（以下、入射光とする。）は、太陽の高度に対応する入射角度で反射層に入射する。ここで、光学フィルムは、入射光の反射層に対する入射角度が特定の範囲である場合、屋内の明るさの向上を十分に図ることができるが、入射光の反射層に対する入射角度が特定の範囲でない場合、屋内の明るさの向上を十分に図ることができない。
【００１４】
例えば、入射光の反射層に対する入射角度が特定の範囲でない場合、入射光は、下側の反射層に上方に向かって反射された後、上側の反射層に再度反射されて、下方に向かって進行する。そして、下方に向かう光が透明層から屋内に導入されると、その光は、窓の近傍を照らすのみであり、屋内における他の部分の明るさを十分に確保できない。
【００１５】
しかし、上記の構成によれば、複数の透明層が、屈折率が相対的に大きい第１透明層と、屈折率が相対的に小さい第２透明層とを含んでいるので、太陽光は、第１透明層に入射したときに比較的大きく屈折し、第２透明層に入射したときに比較的小さく屈折する。
【００１６】
これによって、第１透明層に入射した光（以下、第１入射光とする。）の反射層に対する入射角度と、第２透明層に入射した光（以下、第２入射光とする。）の反射層に対する入射角度とを互いに異ならせることができる。
【００１７】
そのため、太陽の高度に対応する、入射光の反射層に対する入射角度範囲を広げることができる。その結果、光学フィルムは、太陽の高度が変化しても、入射光を家屋の天井部などに向けて上方に向かって進行させることができる。これによって、太陽の高度が変化した場合であっても、効率よく安定して採光することができ、屋内全体の明るさの向上を図ることができる。
【００１８】
また、前記第１透明層の屈折率と、前記第２透明層の屈折率との差は、０．０５以上０．３以下であることが好適である。
【００１９】
このような構成によれば、第１透明層の屈折率と第２透明層の屈折率との差が、０．０５以上であるので、第１入射光の反射層に対する入射角度と、第２入射光の反射層に対する入射角度とを、互いに確実に異ならせることができる。そのため、太陽の高度に対応する、入射光の反射層に対する入射角度範囲を確実に広げることができる。その結果、屋内全体の明るさを安定して向上させることができる。
【００２０】
また、第１透明層の屈折率と第２透明層の屈折率との差が、０．３以下であるので、第１透明層および第２透明層のそれぞれを、容易に材料設計できる。
【００２１】
また、前記複数の透明層において、前記第１透明層と前記第２透明層とは、前記第１方向において交互に配置されていることが好適である。
【００２２】
このような構成によれば、第１透明層と第２透明層とは、第１方向において交互に配置されているので、光学フィルムの第１方向の全体において均一に、入射光を光学フィルムから上方に向かって進行させることができる。そのため、屋内全体の明るさの向上をより一層確実に図ることができる。
【発明の効果】
【００２３】
本発明の光学フィルムによれば、太陽の高度が変化しても、効率よく安定して採光でき、屋内全体の明るさの向上を図ることができる。
【図面の簡単な説明】
【００２４】
【図１】図１は、本発明の光学フィルムの第１実施形態としての採光フィルムの斜視図である。
【図２】図２は、図１に示す採光フィルムの側面図である。
【図３】図３は、図２に示す採光フィルムに係る第１単位フィルムおよび第２単位フィルムの斜視図である。
【図４】図４は、図３に示す第１単位フィルムおよび第２単位フィルムが積層されて形成される積層体の側面に支持体が貼り付けられた後、積層体の側面層が切断される工程を説明するための説明図である。
【図５】図５は、図４に示す積層体の側面に、支持体ロールから引き出された支持体が貼り付けられた後、積層体の側面層が連続的に切断される工程を説明するための説明図である。
【図６】図６は、図５に示す採光層および支持体の斜視図である。
【図７】図７は、図１に示す採光フィルムがガラス窓に取り付けられた状態を説明するための概略説明図であって、太陽の高度が相対的に低い場合を示す。
【図８】図８は、図１に示す採光フィルムがガラス窓に取り付けられた状態を説明するための概略説明図であって、太陽の高度が相対的に高い場合を示す。
【図９】図９は、本発明の第２実施形態としての採光フィルムの側面図である。
【図１０】図１０Ａは、本発明の第３実施形態としての採光フィルムの斜視図である。図１０Ｂは、図１０Ａに示す採光フィルムに係る第１単位フィルムおよび第２単位フィルムの斜視図である。
【図１１】図１１は、実施例および比較例における、基準照度および測定照度の測定方法を説明するための説明図である。
【図１２】図１２は、実施例１、比較例１および２の採光フィルムにおける、光の入射角に対する方向転換効率の変化を示す図である。
【図１３】図１３は、実施例２、比較例３および４の採光フィルムにおける、光の入射角に対する方向転換効率の変化を示す図である。
【発明を実施するための形態】
【００２５】
１．採光フィルムの構成
光学フィルムの一例としての採光フィルム１は、図１に示すように、可撓性を有するシート状（フィルム状）に形成されており、採光フィルム１の厚み方向Ｘからみて、矩形状に形成されている。
【００２６】
以下の説明において方向について言及する場合には、採光フィルム１を厚み方向Ｘの一方側を見たときを左右の基準とし、厚み方向Ｘおよび左右方向の両方向と直交する方向を上下方向とする。具体的には、各図に示す矢印方向を基準とする。なお、上下方向は、第１方向の一例である。
【００２７】
採光フィルム１の厚み方向Ｘの寸法は、例えば、３０μｍ以上、好ましくは、５０μｍ以上、例えば、１５００μｍ以下、透過性の観点から好ましくは、５００μｍ以下である。
【００２８】
また、採光フィルム１のサイズは、使用目的などに応じて適宜変更されるが、採光フィルム１の左右方向の寸法は、例えば、１０ｃｍ以上、好ましくは、６０ｃｍ以上、例えば、２００ｃｍ以下、好ましくは、１００ｃｍ以下である。また、採光フィルム１の上下方向の寸法は、例えば、５ｃｍ以上、好ましくは、１０ｃｍ以上、例えば、１５０ｃｍ以下、好ましくは、８０ｃｍ以下である。
【００２９】
また、採光フィルム１は、図２に示すように、採光層２と、支持体３と、剥離体４とを備えている。
【００３０】
採光層２は、採光フィルム１の厚み方向Ｘの略中央部分であって、複数の透明層９と、反射層の一例としての複数の空気層１０とを備えている。
【００３１】
複数の透明層９は、上下方向に互いに僅かな間隔（空気層１０）を隔てて並列配置されている。複数の透明層９のそれぞれは、図１および図２に示すように、光を透過するように構成されており、採光層２の左右方向の全体にわたって延びる略角柱形状に形成されている。また、透明層９の上下両面のそれぞれは、厚み方向Ｘに沿っている。
【００３２】
詳しくは、複数の透明層９は、複数の第１透明層２０と、複数の第２透明層２１とを含んでいる。
【００３３】
第１透明層２０と第２透明層２１とは、上下方向において、互いに僅かな間隔（空気層１０）を隔てて、交互に連続して配置されている。
【００３４】
第１透明層２０は、第２透明層２１よりも屈折率が大きくなるように構成され、加工の容易性の観点から好ましくは、透明の第１樹脂材料から形成される。
【００３５】
透明の第１樹脂材料としては、例えば、ポリエステル（例えば、ポリエチレンテレフタレート（ＰＥＴ））、ポリオレフィン（例えば、ポリエチレン（ＰＥ）、ポリプロピレン（ＰＰ））、ポリカーボネート（ＰＣ）、ポリ塩化ビニル（ＰＶＣ）、ポリスチレン（ＰＳ）、エポキシ樹脂、シリコーン樹脂、ウレタン樹脂、セルロース、ポリビニルブチラール、エチレン酢酸ビニル共重合体、アクリル樹脂などが挙げられる。
【００３６】
このような第１樹脂材料のなかでは、好ましくは、屈折率が１．５以上の樹脂材料（例えば、ポリエチレンテレフタレート、ポリエチレン、ポリカーボネート、ポリ塩化ビニル、ポリスチレン、エポキシ樹脂、ポリビニルブチラールなど）が挙げられ、さらに好ましくは、ポリカーボネート（屈折率１．６）およびポリ塩化ビニル（屈折率１．５４）が挙げられる。このような第１樹脂材料は、単独で使用してもよく、２種以上併用することもできる。
【００３７】
また、第１透明層２０の屈折率（絶対屈折率）は、例えば、１．４５以上、好ましくは、１．５以上、例えば、１．８以下、好ましくは、１．６５以下である。なお、屈折率は、プリズムカプラにより測定することができる。
【００３８】
第１透明層２０の屈折率が上記下限値以上であると、第１透明層２０の屈折率と第２透明層２１の屈折率との差を容易に確保することができ、第１透明層２０の屈折率が上記上限値以下であると、第１樹脂材料を容易に材料設計できる。
【００３９】
また、第１透明層２０の光透過率は、第１透明層２０の厚みが１００μｍの場合に、波長４４０〜６００ｎｍの光に対して、例えば、８０％以上、好ましくは、９０％以上、さらに好ましくは、９２％以上であり、例えば、９８％以下である。
【００４０】
第１透明層２０の上下方向の寸法は、例えば、３０μｍ以上、好ましくは、５０μｍ以上、例えば、５００μｍ以下、好ましくは、３００μｍ以下である。
【００４１】
また、第１透明層２０の厚み方向Ｘの寸法は、例えば、３０μｍ以上、好ましくは、５０μｍ以上、例えば、１５００μｍ以下、好ましくは、５００μｍ以下である。また、第１透明層２０の上下方向の寸法は、第１透明層２０の厚み方向Ｘの寸法１００％に対して、例えば、２０％以上、採光性の観点から好ましくは、４０％以上、例えば、１０００％以下、採光性の観点から好ましくは、５００％以下である。
【００４２】
第２透明層２１は、第１透明層２０よりも屈折率が小さくなるように構成され、第１樹脂材料の屈折率よりも屈折率の小さな透明の第２樹脂材料から形成される。
【００４３】
第２樹脂材料としては、例えば、ポリオレフィン（例えば、ポリエチレン（ＰＥ）、ポリプロピレン（ＰＰ））、シリコーン樹脂、ウレタン樹脂、セルロース、ポリビニルブチラール、アクリル樹脂、フッ素樹脂（例えば、４フッ化エチレン・６フッ化プロピレン共重合体（ＦＥＰ）など）などが挙げられる。
【００４４】
なお、第２樹脂材料として例示される樹脂材料は、第１樹脂材料として例示される樹脂材料と一部重複している。しかし、第２樹脂材料は、第１樹脂材料よりも屈折率が小さい樹脂材料であって、第１樹脂材料と同一の樹脂材料は選択されない。一方、第２樹脂材料は、第１樹脂材料として選択された樹脂材料よりも屈折率が小さければ、第１樹脂材料として例示される樹脂材料であっても選択することができる。例えば、第１樹脂材料がポリカーボネート（屈折率１．６）である場合、第２樹脂材料として、ポリプロピレン（屈折率１．４９）などポリカーボネートよりも屈折率が小さい樹脂材料を選択できる。
【００４５】
また、第１樹脂材料および第２樹脂材料のそれぞれは、添加剤などを添加することにより、屈折率を適宜調整することができる。そのため、第１樹脂材料および第２樹脂材料は、互いに屈折率が異なれば、同一種類の樹脂を含有する樹脂材料であっても選択することができる。
【００４６】
このような第２樹脂材料のなかでは、好ましくは、屈折率が１．５未満の樹脂材料（例えば、ポリプロピレン、シリコーン樹脂、ウレタン樹脂、セルロース、アクリル樹脂、フッ素樹脂など）が挙げられ、さらに好ましくは、フッ素樹脂およびアクリル樹脂（屈折率１．４９）が挙げられ、とりわけ好ましくは、４フッ化エチレン・６フッ化プロピレン共重合体（屈折率１．３４）が挙げられる。このような第２樹脂材料は、単独で使用してもよく、２種以上併用することもできる。
【００４７】
また、第２透明層２１の屈折率（絶対屈折率）は、例えば、１．２以上、好ましくは、１．３以上、例えば、１．６以下、好ましくは、１．５５以下、とりわけ好ましくは、１．５未満である。なお、屈折率は、プリズムカプラにより測定することができる。
【００４８】
第２透明層２１の屈折率が上記下限値以上であると、第２樹脂材料を容易に材料設計でき、第２透明層２１の屈折率が上記上限値以下であると、第１透明層２０の屈折率と第２透明層２１の屈折率との差を容易に確保することができる。
【００４９】
そして、第１透明層２０の屈折率と、第２透明層２１の屈折率との差は、例えば、０．０４以上、好ましくは、０．０５以上、さらに好ましくは、０．１以上、とりわけ好ましくは、０．２以上、例えば、０．４以下、好ましくは、０．３以下である。
【００５０】
第１透明層２０の屈折率と第２透明層２１の屈折率との差が、上記下限値以上であると、太陽の高度が変化しても、安定した採光性を十分に確保することができ、上記上限値以下であると、第１樹脂材料および第２樹脂材料のそれぞれを容易に材料設計できる。
【００５１】
また、第２透明層２１の光透過率は、第２透明層２１の厚みが１００μｍの場合に、波長４４０〜６００ｎｍの光に対して、例えば、８０％以上、好ましくは、９０％以上、さらに好ましくは、９２％以上であり、例えば、９８％以下である。
【００５２】
第２透明層２１の上下方向の寸法は、例えば、３０μｍ以上、好ましくは、５０μｍ以上、例えば、５００μｍ以下、好ましくは、３００μｍ以下であり、生産性の観点からさらに好ましくは、第１透明層２０の上下方向の寸法と同一である。
【００５３】
また、第２透明層２１の厚み方向Ｘの寸法は、例えば、３０μｍ以上、好ましくは、５０μｍ以上、例えば、１５００μｍ以下、好ましくは、５００μｍ以下であり、生産性の観点からさらに好ましくは、第１透明層２０の厚み方向Ｘの寸法と同一である。
【００５４】
また、第２透明層２１の上下方向の寸法は、第２透明層２１の厚み方向Ｘの寸法１００％に対して、例えば、２０％以上、採光性の観点から好ましくは、４０％以上、例えば、１０００％以下、採光性の観点から好ましくは、５００％以下である。
【００５５】
複数の空気層１０は、複数の透明層９のうち互いに隣り合う透明層９の間の隙間として介在されている。そのため、複数の空気層１０は、上下方向に互いに間隔（透明層９）を隔てて並列配置されている。また、複数の空気層１０は、第１実施形態において、互いに隣り合う第１透明層２０と第２透明層２１との間の隙間として形成されている。
【００５６】
詳しくは、複数の空気層１０は、複数の第１空気層２３と、複数の第２空気層２４とを含んでいる。
【００５７】
第１空気層２３は、第１透明層２０と、その第１透明層２０に対して下方に間隔を隔てて隣り合う第２透明層２１との間の隙間として形成されている。つまり、第１空気層２３は、第１透明層２０の下面と、第２透明層２１の上面とにより区画されている。
【００５８】
第２空気層２４は、第２透明層２１と、その第２透明層２１に対して下方に間隔を隔てて隣り合う第１透明層２０との間の隙間として形成されている。つまり、第２空気層２４は、第２透明層２１の下面と、第１透明層２０の上面とにより区画されている。
【００５９】
そのため、第１空気層２３および第２空気層２４のそれぞれは、採光層２の左右方向の全体にわたって延びており、第１空気層２３および第２空気層２４のそれぞれと、第１透明層２０および第２透明層２１のそれぞれとの境界（後述する境界１５、境界１６、境界１７および境界１８）は、左右方向および厚み方向Ｘに沿っている。
【００６０】
また、第１空気層２３の上下方向の寸法は、例えば、０．１μｍ以上、好ましくは、１μｍ以上、例えば、２０μｍ以下、好ましくは、１０μｍ以下であり、第１透明層２０の上下方向の寸法に対して、例えば、１／５０００以上、好ましくは、１／３００以上、例えば、２／３以下、好ましくは、１／３以下である。なお、第２空気層２４の上下方向の寸法は、第１空気層２３の上下方向の寸法と同様である。
【００６１】
なお、第１実施形態では、採光層２の上端部に第２透明層２１が配置され、採光層２の下端部に第１透明層２０が配置されている。しかし、採光層２の上下両端部のそれぞれは、透明層９であれば、第１透明層２０および第２透明層２１のいずれであってもよく、採光フィルム１の形状およびサイズにより適宜変更できる。
【００６２】
支持体３は、採光フィルム１の厚み方向Ｘの一方側部分であって、採光層２に対して、厚み方向Ｘの一方に隣接されている。支持体３は、基材１２と、粘着剤層１１とを備えている。
【００６３】
基材１２は、支持体３の厚み方向Ｘの一方側部分であって、光を透過するように構成されている。基材１２としては、例えば、ＰＥＴフィルムなどの基材、フッ素系ポリマー（例えば、ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体など）からなる低接着性基材、無極性ポリマー（例えば、ポリエチレン、ポリプロピレンなどのオレフィン系樹脂など）からなる低接着性基材などが挙げられる。
【００６４】
このような基材１２のなかでは、好ましくは、ＰＥＴフィルム、および、無極性ポリマーからなる低接着性基材が挙げられ、さらに好ましくは、ポリプロピレンフィルムが挙げられる。
【００６５】
このような基材１２の厚み方向Ｘの寸法は、例えば、１０μｍ以上、好ましくは、３０μｍ以上、例えば、１００μｍ以下、好ましくは、５０μｍ以下である。また、基材１２の光透過率は、基材１２の厚み方向Ｘの寸法が５０μｍの場合に、波長４４０〜６００ｎｍの光に対して、例えば、８５％以上、好ましくは、９０％以上、さらに好ましくは、９２％以上であり、例えば、９８％以下である。
【００６６】
粘着剤層１１は、支持体３の厚み方向Ｘの他方側部分であって、基材１２と採光層２との間に介在されている。これによって、採光層２と基材１２とは、接着されている。
【００６７】
粘着剤層１１を形成する粘着剤としては、例えば、エポキシ系粘着剤、シリコーン系粘着剤、アクリル系粘着剤、紫外線硬化型粘着剤などの公知の粘着剤が挙げられる。また、粘着剤は、光を透過することが好ましい。また、粘着剤層１１は、公知の両面粘着テープから構成することもできる。
【００６８】
このような粘着剤のなかでは、好ましくは、アクリル系粘着剤が挙げられる。このような粘着剤は、単独で使用してもよく、２種以上併用することもできる。
【００６９】
粘着剤層１１の厚み方向Ｘの寸法は、例えば、１μｍ以上、好ましくは、５μｍ以上、例えば、１００μｍ以下、好ましくは、４０μｍ以下である。なお、基材１２自体に粘着性がある場合は、支持体３において粘着剤層１１は不要である。
【００７０】
剥離体４は、採光フィルム１の厚み方向Ｘの他方側部分であって、採光層２に対して、厚み方向Ｘの他方に隣接されている。剥離体４は、剥離材１４と、粘着剤層１３とを備えている。
【００７１】
剥離材１４は、剥離体４の厚み方向Ｘの他方側部分である。剥離材１４としては、基材１２と同様の基材などが挙げられ、好ましくは、ＰＥＴフィルム、および、無極性ポリマーからなる低接着性基材が挙げられ、さらに好ましくは、ＰＥＴフィルムが挙げられる。
【００７２】
このような剥離材１４の厚み方向Ｘの寸法は、例えば、１０μｍ以上、好ましくは、４０μｍ以上、例えば、１００μｍ以下、好ましくは、６０μｍ以下である。
【００７３】
また、図示しないが、剥離材１４の厚み方向Ｘの一方面には、剥離処理層（図示せず）が設けられている。
【００７４】
粘着剤層１３は、剥離体４の厚み方向Ｘの一方側部分であって、剥離材１４の剥離処理層（図示せず）と採光層２との間に介在されている。これによって、採光層２と剥離材１４とは、接着されている。
【００７５】
粘着剤層１３を形成する粘着剤としては、例えば、粘着剤層１１を形成する粘着剤と同様の粘着剤が挙げられる。このような粘着剤のなかでは、好ましくは、アクリル系粘着剤が挙げられる。このような粘着剤は、単独で使用してもよく、２種以上併用することもできる。また、粘着剤層１３は、公知の両面粘着テープから構成することもできる。
【００７６】
粘着剤層１３の厚み方向Ｘの寸法は、例えば、５μｍ以上、好ましくは、２０μｍ以上、例えば、１００μｍ以下、好ましくは、６０μｍ以下である。
２．採光フィルムの製造方法
次に、採光フィルム１の製造方法について説明する。
【００７７】
採光フィルム１を製造するには、図３に示すように、まず、第１透明層２０に対応する第１単位フィルム２９と、第２透明層２１に対応する第２単位フィルム３０とを、それぞれ複数枚調製する。
【００７８】
第１単位フィルム２９を調製するには、例えば、第１透明層２０からなる第１加工シートを調製した後、その第１加工シートから所定の形状の第１単位フィルム２９を切り出す。第１加工シートから第１単位フィルム２９を切り出す方法としては、例えば、裁断、打ち抜きなどの公知の加工方法が挙げられる。
【００７９】
また、第２単位フィルム３０を調製するには、例えば、第２透明層２１からなる第２加工シートを調製した後、その第２加工シートから所定の形状の第２単位フィルム３０を切り出す。第２加工シートから第２単位フィルム３０を切り出す方法としては、上記の加工方法が挙げられる。
【００８０】
第１単位フィルム２９および第２単位フィルム３０のそれぞれの形状は、特に制限されず、第１単位フィルム２９および第２単位フィルム３０は、上記の切り出し方法により、それらの厚み方向から見て、例えば、多角形または円形状、好ましくは、矩形状または円形状、とりわけ好ましくは、円形状となるように形成される。
【００８１】
また、第１単位フィルム２９および第２単位フィルム３０のサイズは、使用目的などに応じて適宜変更される。具体的には、第１単位フィルム２９および第２単位フィルム３０のそれぞれが厚み方向から見て円形状である場合、直径が、例えば、１０ｃｍ〜１ｍ（１００ｃｍ）であり、加工性の観点から好ましくは、１０ｃｍ〜５０ｃｍである。
【００８２】
このような第１単位フィルム２９および第２単位フィルム３０のそれぞれを、複数枚、例えば、１００枚以上、好ましくは、５０００枚以上、例えば、３００００枚以下、好ましくは、１５０００枚以下、さらに好ましくは、１００００枚以下準備する。
【００８３】
第１単位フィルム２９を複数枚準備するには、例えば、第１加工シートを、複数の第１単位フィルム２９が切り出し可能となるように大きく形成し、その第１加工シートから第１単位フィルム２９を複数枚切り出してもよく、第１加工シートを複数枚調製して、各第１加工シートから１枚ずつ第１単位フィルム２９を切り出してもよい。
【００８４】
また、第２単位フィルム３０を複数枚準備するには、複数枚の第１単位フィルム２９を準備する場合と同様に、大きく形成した第２加工シートから第２単位フィルム３０を複数枚切り出してもよく、複数枚の第２加工シートから１枚ずつ第２単位フィルム３０を切り出してもよい。なお、複数の第１単位フィルム２９および第２単位フィルム３０のそれぞれは、好ましくは、同一形状およびサイズに形成される。
【００８５】
次いで、図４に示すように、複数の第１単位フィルム２９、および、複数の第２単位フィルム３０を、粘着剤層を挟むことなく、厚み方向に積層して、積層体３１を調製する。
【００８６】
より具体的には、第１単位フィルム２９と第２単位フィルム３０とが交互に重なるように、第１単位フィルム２９および第２単位フィルム３０を、それらの厚み方向に積層する。つまり、第１単位フィルム２９の厚み方向と、第２単位フィルム３０の厚み方向と、積層体３１の積層方向とは同一方向である。
【００８７】
ここで、積層体３１において、積層方向に互いに隣り合う第１単位フィルム２９と第２単位フィルム３０との間には、僅かな空気が介在しており、それが空気層１０として供され、互いに隣り合う第１単位フィルム２９および第２単位フィルム３０を区画している。
【００８８】
なお、図４では、便宜上、複数の第１単位フィルム２９、および、複数の第２単位フィルム３０のそれぞれの枚数が省略されており、積層体３１が、９枚の第１単位フィルム２９と、９枚の第２単位フィルム３０とからなるように記載しているが、実際には、積層体３１は、例えば、１００枚〜３００００枚、好ましくは、５０００枚〜１５０００枚、さらに好ましくは、５０００枚〜１００００枚の第１単位フィルム２９と、例えば、１００枚〜３００００枚、好ましくは、５０００枚〜１５０００枚、さらに好ましくは、５０００枚〜１００００枚の第２単位フィルム３０とが積層されて形成されている。
【００８９】
また、各第１単位フィルム２９および各第２単位フィルム３０が同一形状およびサイズに形成されている場合、複数の第１単位フィルム２９および複数の第２単位フィルム３０は、積層方向に投影したときに、それらの外周端縁が互いに一致するように積層される。
【００９０】
以上によって、積層方向に延びる柱状（ブロック状）の積層体３１が形成される。例えば、第１単位フィルム２９および第２単位フィルム３０が厚み方向から見て矩形である場合、角柱状の積層体３１が形成され、第１単位フィルム２９および第２単位フィルム３０が厚み方向から見て円形である場合、円柱状の積層体３１が形成される。
【００９１】
積層体３１の高さ（積層方向長さ）は、例えば、１ｃｍ以上、好ましくは、５ｃｍ以上、さらに好ましくは、１０ｃｍ以上、例えば、２００ｃｍ以下、好ましくは、１００ｃｍ以下、さらに好ましくは、５０ｃｍ以下である。
【００９２】
次いで、積層体３１の側面３２（積層方向に沿って延びる表面）に、積層方向に沿うように支持体３を貼り付けた後、支持体３が貼り付けられた積層体３１の側面層３３を、第１単位フィルム２９および第２単位フィルム３０が積層体３１の積層方向に並列するように切断する。
【００９３】
積層体３１の側面層３３を切断する切断方法としては、積層体３１から、支持体３に支持された側面層３３を切り出せれば特に限定されない。
【００９４】
このような切断方法のなかでは、生産性の観点から、積層体３１を円柱状に形成し、図５に示すように、切削装置４０により連続的に、積層体３１の側面層３３を切り出す方法が好ましい。
【００９５】
切削装置４０は、回転軸４１と、１対の保持部材４２と、切削刃３５とを備えている。
【００９６】
回転軸４１は、略円柱形状であり、その軸線を中心として回転可能に構成されている。回転軸４１には、長尺かつ平帯状の支持体３が巻回される。詳しくは、長尺かつ平帯状の支持体３は、粘着剤層１１が基材１２に対して回転軸４１の径方向内側に位置するように、回転軸４１に渦巻き状に巻回される。これによって、支持体３は、回転軸４１を中心とする支持体ロール４５として構成される。なお、基材１２における粘着剤層１１と反対側の表面には、剥離処理層（図示せず）が設けられている。剥離処理層による基材１２の剥離力は、適宜調整される。
【００９７】
支持体ロール４５では、回転軸４１の径方向において、支持体３が隣接するように配置され、粘着剤層１１と基材１２とが順次繰り返して配置されている。また、上記したように、基材１２における粘着剤層１１と反対側の表面には剥離処理層が設けられるので、回転軸４１の径方向において、互いに隣り合う支持体３の間、詳しくは、径方向外側に配置される支持体３の粘着剤層１１と、径方向内側に配置される支持体３の基材１２との間には、剥離処理層が介在される。
【００９８】
１対の保持部材４２は、支持体ロール４５に対して、支持体ロール４５の径方向に間隔を空けて配置されている。１対の保持部材４２のそれぞれは、略円板形状であり、その軸線を中心として回転可能に構成されている。
【００９９】
また、１対の保持部材４２は、保持部材４２の軸線方向に互いに間隔を空けて配置されている。そして、１対の保持部材４２は、略円柱形状の積層体３１を積層方向の両側から加圧して、積層体３１を保持する。
【０１００】
加圧条件としては、積層体３１に対する積層方向の一方側（他方側）からの圧力が、例えば、０．０１ＭＰａ以上、好ましくは、０．１ＭＰａ以上、例えば、１０ＭＰａ以下、好ましくは、５ＭＰａ以下である。
【０１０１】
なお、各保持部材４２は、積層体３１を保持した状態において、積層体３１と軸線が一致するように配置される。
【０１０２】
切削刃３５は、１対の保持部材４２に保持される積層体３１の側面３２に対して、積層方向に沿うように配置されており、切削刃３５の先端が、積層体３１の側面３２に略接線方向から接触している。
【０１０３】
また、切削刃３５は、切断工程の進行により積層体３１の径が小さくなるに伴って、切削刃３５の先端が積層体３１の側面３２に接触した状態を維持したまま、積層体３１の軸線に近づくように構成されている。
【０１０４】
このような切削装置４０により、積層体３１の側面層３３を連続的に切り出すには、まず、支持体ロール４５から引き出した支持体３を、１対の保持部材４２に保持される積層体３１の側面３２に貼り付ける。
【０１０５】
より詳しくは、引き出された支持体３の粘着剤層１１が積層体３１の側面３２に接着するように、支持体３を積層体３１の接線方向に向かって引き回し、積層体３１における中心角が、例えば、９０°〜２７０°の範囲、好ましくは、１２０°〜２４０°の範囲の積層体３１の側面３２に貼り付ける。
【０１０６】
次いで、１対の保持部材４２が、切削装置４０が備えるモータなどの駆動源からの駆動力により、保持部材４２の軸線方向一方（図５における紙面手前側）から見て反時計回り方向に回転駆動する。
【０１０７】
そうすると、１対の保持部材４２に保持される積層体３１が、軸線を中心として回転するとともに、支持体ロール４５が回転軸４１の軸線を中心として従動する。
【０１０８】
これによって、支持体３が貼り付けられた積層体３１の側面層３３が、切削刃３５によって、かつら剥きのように連続的に切り出される。なお、切り出される側面層３３の厚みは、積層体３１を切断する際の、積層体３１に対する切削刃３５の配置および角度などにより適宜調整できる。
【０１０９】
以上によって、図６に示すように、積層体３１から連続的に、一方面に支持体３が貼り付けられた側面層３３、つまり、一方面に支持体３が貼り付けられた採光層２が、長尺かつ平帯状に切り出される。
【０１１０】
次いで、採光層２の他方面に、剥離体４を貼り付ける。詳しくは、剥離体４の粘着剤層１３を、採光層２の他方面に接着させる。
【０１１１】
これによって、図２に示すように、支持体３および剥離体４が採光層２を挟むように、採光層２に貼り付けられ、採光フィルム１が調製される。
【０１１２】
その後、採光フィルム１を、所定の形状およびサイズにカットする。採光フィルム１をカットする方法としては、例えば、裁断、打ち抜きなどの公知の加工方法が挙げられる。
３．採光フィルムの使用態様
次に、採光フィルム１の使用態様について説明する。
【０１１３】
採光フィルム１は、図７に示すように、家屋５０などの建築物に備えられるガラス窓５１の内側面に貼り付けられる。
【０１１４】
採光フィルム１をガラス窓５１の内側面に貼り付けるには、まず、剥離材１４を剥離する。そして、露出した粘着剤層１３をガラス窓５１の内側面に接着する。これによって、採光フィルム１が、ガラス窓５１の内側面に貼り付けられる。
【０１１５】
このように採光フィルム１がガラス窓５１に貼り付けられた状態において、太陽の高度が相対的に低い場合、ガラス窓５１に対する入射角度が相対的に小さい太陽光ＬＬが、ガラス窓５１を介して、家屋５０外（屋外）から差し込む。すると、太陽光ＬＬのうち一部の光は、第１透明層２０に入射される。なお、太陽光ＬＬのうち、第１透明層２０に入射される太陽光を第１入射光Ｌ１とする。
【０１１６】
第１入射光Ｌ１は、第１透明層２０の界面において、下方に向かう傾斜が大きくなるように屈折される。その後、第１入射光Ｌ１は、第１透明層２０と第１空気層２３との境界１５に到達する。すると、第１入射光Ｌ１は、境界１５（第１空気層２３）に反射されて、第１透明層２０内を上方に向かうように進行した後、第２透明層２１と第２空気層２４との境界１６に到達する。
【０１１７】
すると、第１入射光Ｌ１は、境界１６（第２空気層２４）に反射されて、下方に向かって進行し、第１透明層２０から家屋５０内に出射する。このとき、第１入射光Ｌ１は、第１透明層２０の界面において、下方に向かう傾斜が小さくなるように屈折される。その後、第１入射光Ｌ１は、家屋５０の床部５２に向かって進行する。
【０１１８】
また、太陽光ＬＬのうち他の部分の光は、第２透明層２１に入射される。なお、太陽光ＬＬのうち、第２透明層２１に入射される太陽光を、第２入射光Ｌ２とする。また、太陽光は平行光線であるため、第２入射光Ｌ２の第２透明層２１に対する入射角度は、第１入射光Ｌ１の第１透明層２０に対する入射角度と略同じである。
【０１１９】
第２入射光Ｌ２は、第２透明層２１の界面において、下方に向かう傾斜が大きくなるように屈折され、第２透明層２１と第２空気層２４との境界１７に到達する。
【０１２０】
ここで、第２入射光Ｌ２は、第２透明層２１に入射されるときに、第１透明層２０に入射される第１入射光Ｌ１と比較して、小さく屈折される。そのため、第２入射光Ｌ２の境界１７に対する入射角度θ２は、第１入射光Ｌ１の境界１５に対する入射角度θ１よりも大きい。
【０１２１】
その後、第２入射光Ｌ２は、境界１７（第２空気層２４）に反射されて、第１透明層２０内を上方に向かうように進行した後、第２透明層２１から家屋５０内に出射する。このとき、第２入射光Ｌ２は、第２透明層２１の界面において、上方に向かう傾斜が小さくなるように屈折される。その後、第２入射光Ｌ２は、家屋５０の天井部５３に向かって進行した後、例えば、天井部５３に反射され、家屋５０内において、第１入射光Ｌ１よりもガラス窓５１から遠方に到達する。これによって、家屋５０内の明るさを向上させる。
【０１２２】
一方、太陽の高度が上昇し、太陽の高度が相対的に高くなると、図８に示すように、ガラス窓５１に対する入射角度が相対的に大きい太陽光ＬＨが、ガラス窓５１を介して、家屋５０外（屋外）から差し込む。
【０１２３】
すると、太陽光ＬＨのうち一部の光は、第２透明層２１に入射される。なお、太陽光ＬＨのうち、第２透明層２１に入射される太陽光を、第２入射光Ｌ３とする。
【０１２４】
第２入射光Ｌ３は、第２透明層２１の界面において、下方に向かう傾斜が大きくなるように屈折され、第２透明層２１と第２空気層２４との境界１７に到達する。
【０１２５】
すると、第２入射光Ｌ３は、境界１７（第２空気層２４）に反射されて、第１透明層２０内を上方に向かうように進行した後、第２透明層２１と第１空気層２３との境界１８に到達する。
【０１２６】
その後、第２入射光Ｌ３は、境界１８（第１空気層２３）に反射されて、下方に向かって進行し、第２透明層２１から家屋５０内に出射する。このとき、第２入射光Ｌ３は、第２透明層２１の界面において、下方に向かう傾斜が小さくなるように屈折される。その後、は、家屋５０の床部５２に向かって進行する。
【０１２７】
また、太陽光ＬＨのうち他の部分の光は、第１透明層２０に入射される。なお、太陽光ＬＨのうち、第１透明層２０に入射される太陽光を、第１入射光Ｌ４とする。また、太陽光は平行光線であるため、第１入射光Ｌ４の第１透明層２０に対する入射角度は、第２入射光Ｌ３の第２透明層２１に対する入射角度と略同じである。
【０１２８】
第１入射光Ｌ４は、第１透明層２０の界面において、下方に向かう傾斜が大きくなるように屈折され、第１透明層２０と第１空気層２３との境界１５（第１空気層２３）に到達する。
【０１２９】
ここで、第１入射光Ｌ４は、第１透明層２０に入射されるときに、第２透明層２１に入射される第２入射光Ｌ３と比較して、大きく屈折される。そのため、第１入射光Ｌ４の境界１５に対する入射角度θ４は、第２入射光Ｌ３の境界１７に対する入射角度θ３よりも小さい。
【０１３０】
その後、第１入射光Ｌ４は、境界１５（第１空気層２３）に反射されて、第１透明層２０内を上方に向かって進行した後、境界１６（第２空気層２４）に到達し反射される。すると、第１入射光Ｌ４は、第１透明層２０内を下方に向かって進行し、再度、境界１５（第１空気層２３）に到達し反射される。
【０１３１】
これによって、第１入射光Ｌ４は、上方に向かうように進行して、第１透明層２０から家屋５０内に出射する。このとき、第１入射光Ｌ４は、第１透明層２０の界面において、上方に向かう傾斜が小さくなるように屈折される。その後、第１入射光Ｌ４は、家屋５０の天井部５３に向かって進行した後、例えば、天井部５３に反射され、家屋５０内において、第２入射光Ｌ３よりもガラス窓５１から遠方に到達する。これによって、家屋５０内の明るさを向上させる。
【０１３２】
採光フィルム１において、複数の空気層１０のそれぞれは、図１および図２に示すように、複数の透明層９のうち互いに隣り合う透明層９の間のそれぞれに介在されている。そのため、複数の空気層１０は、図７および図８に示すように、上下方向に互いに間隔（透明層９）を隔てて配置されており、透明層９は、複数の空気層１０のうち互いに隣り合う空気層１０に挟まれている。
【０１３３】
そのため、この採光フィルム１を家屋５０のガラス窓５１などに設置すれば、屋外からの太陽光（太陽光ＬＬまたは太陽光ＬＨ）は、透明層９に入射した後、その透明層９の下側に配置される空気層１０に上方に向かって反射されて、透明層９から屋内に導入される。その後、導入された太陽光は、天井部５３などに反射されて、家屋５０内全体を照らす。これによって、家屋５０内全体の明るさの向上を図ることができる。
【０１３４】
また、複数の透明層９は、屈折率が相対的に大きい第１透明層２０と、屈折率が相対的に小さい第２透明層２１とを含んでいる。そのため、太陽光は、第１透明層２０に入射したときに比較的大きく屈折し、第２透明層２１に入射したときに比較的小さく屈折する。
【０１３５】
これによって、第１透明層２０に入射した光（第１入射光Ｌ１または第１入射光Ｌ４）の境界１５（第１空気層２３）に対する入射角度と、第２透明層２１に入射した光（第２入射光Ｌ２または第２入射光Ｌ３）の境界１７（第２空気層２４）に対する入射角度とを互いに異ならせることができる。
【０１３６】
その結果、太陽の高度に対応する、入射光（第１入射光Ｌ１、第１入射光Ｌ４、第２入射光Ｌ２および第２入射光Ｌ３）の境界（空気層１０）に対する入射角度範囲を広げることができる。これによって、採光フィルム１は、太陽の高度が変化しても、入射光（第１入射光Ｌ１、第１入射光Ｌ４、第２入射光Ｌ２および第２入射光Ｌ３）を、採光フィルム１から、家屋５０の天井部５３に向けて上方に向かって進行させることができる。
【０１３７】
これによって、太陽の高度が変化した場合であっても、効率よく安定して採光することができ、家屋５０内全体の明るさの向上を図ることができる。
【０１３８】
また、第１透明層２０の屈折率と第２透明層２１の屈折率との差は、０．０５以上である。そのため、第１入射光（第１入射光Ｌ１、第１入射光Ｌ４）の境界１５（第１空気層２３）に対する入射角度（入射角度θ１、入射角度θ４）と、第２入射光（第２入射光Ｌ２、第２入射光Ｌ３）の境界１７（第２空気層２４）に対する入射角度（入射角度θ２、入射角度θ３）とを、互いに確実に異ならせることができる。
【０１３９】
その結果、太陽の高度に対応する、入射光（第１入射光Ｌ１、第１入射光Ｌ４、第２入射光Ｌ２および第２入射光Ｌ３）の境界（空気層１０）に対する入射角度範囲を確実に広げることができる。その結果、家屋５０内全体の明るさを安定して向上させることができる。
【０１４０】
また、第１透明層２０の屈折率と第２透明層２１の屈折率との差は、０．３以下である。そのため、第１透明層２０および第２透明層２１のそれぞれを、容易に材料設計できる。
【０１４１】
また、第１透明層２０と第２透明層２１とは、図２に示すように、上下方向において交互に配置されている。そのため、採光フィルム１の上下方向の全体において均一に、図７および図８に示すように、光を反射することができる。その結果、家屋５０内全体の明るさの向上をより一層安定して図ることができる。
４．第２実施形態
次に、図９を参照して、本発明の採光フィルム１の第２実施形態について説明する。なお、第２実施形態では、上記した第１実施形態と同様の部材には同様の符号を付し、その説明を省略する。
【０１４２】
第１実施形態では、図１および図２に示すように、第１透明層２０と第２透明層２１とは、上下方向において、互いに僅かな間隔（空気層１０）を隔てて、交互に連続して配置されている。
【０１４３】
しかし、第１透明層２０および第２透明層２１の配置は、複数の透明層９において、少なくとも、１つの第１透明層２０と１つの第２透明層２１とが、上下方向に間隔（空気層１０）を隔てて隣り合っていれば、特に制限されない。
【０１４４】
例えば、第２実施形態では、図９に示すように、採光層２が、上下方向に互いに空気層１０を隔てて並列配置される複数の第１透明層２０からなるユニットＵ１と、上下方向に互いに空気層１０を隔てて並列配置される複数の第２透明層２１からなるユニットＵ２とを備えている。そして、ユニットＵ１は、ユニットＵ２に対して、上下方向に並ぶように下方に配置されている。つまり、ユニットＵ１のうち最も上方に位置する第１透明層２０は、空気層１０を隔てて、ユニットＵ２のうち最も下方に位置する２１と上下方向に隣り合っている。
【０１４５】
このようにユニットＵ１およびユニットＵ２を備える採光フィルム１を調製するには、図３に示すように、複数の第１単位フィルム２９を、粘着剤層を挟むことなく、厚み方向に積層して、第１積層体（図示せず）を調製するとともに、複数の第２単位フィルム３０を、粘着剤層を挟むことなく、厚み方向に積層して、第２積層体（図示せず）を調製する。
【０１４６】
そして、第１積層体（図示せず）および第２積層体（図示せず）を、それらの積層方向に積層して、積層体３１を構成する。
【０１４７】
次いで、図４および図５に示すように、例えば、第１実施形態と同様に、積層体３１から、一方面に支持体３が貼り付けられた採光層２を、長尺かつ平帯状に切り出し、採光層２の他方面に、剥離体４を貼り付ける。これによって、図９に示すように、ユニットＵ１およびユニットＵ２を備える採光フィルム１が調製される。
【０１４８】
このような第２実施形態によっても、上記した第１実施形態と同様の作用効果を奏することができる。
５．第３実施形態
次に、図１０Ａおよび図１０Ｂを参照して、本発明の採光フィルム１の第３実施形態について説明する。なお、第３実施形態では、上記した第１実施形態と同様の部材には同様の符号を付し、その説明を省略する。
【０１４９】
第１実施形態では、図１および図２に示すように、採光フィルム１は、複数の空気層１０を備えているが、第３実施形態では、図１０Ａに示すように、採光フィルム１は、複数の空気層１０に代えて、反射層の一例としての複数の金属層６１を備えている。なお、第３実施形態では、採光フィルム１の採光層２は、透明層９および金属層６１のみからなり、透明層９と金属層６１とは、上下方向において、連続するように順次繰り返して配置されている。
【０１５０】
複数の金属層６１は、上下方向に互いに間隔（透明層９）を隔てて並列配置されている。複数の金属層６１のそれぞれは、複数の透明層９において互いに隣り合う透明層９の間に介在され、採光層２の左右方向の全体にわたって延びる薄膜状に形成されている。また、金属層６１の上下両面は、厚み方向Ｘに沿っている。
【０１５１】
金属層６１は、光を反射するように構成されており、金属材料から薄膜状に形成されている。金属層６１を形成する金属材料としては、例えば、金属元素（例えば、金、銀、銅、鉄、アルミニウム、クロム、ニッケルなど）や、複数の金属元素からなる合金などが挙げられ、好ましくは、銀、アルミニウムおよびそれらを含有する合金が挙げられ、さらに好ましくは、アルミニウムが挙げられる。このような金属材料は、単独の薄膜として使用してもよく、２種以上の薄膜を積層することもできる。
【０１５２】
このような金属層６１の上下方向の寸法は、光が十分に反射可能であれば、特に制限されないが、例えば、２０ｎｍ以上、好ましくは、３０ｎｍ以上、例えば、１０μｍ（１０４ｎｍ）以下、好ましくは、１μｍ（１０３ｎｍ）以下、さらに好ましくは、３００ｎｍ以下である。
【０１５３】
また、金属層６１の反射率（入射角５°）は、波長４４０〜６００ｎｍの光に対して、例えば、７０％以上、好ましくは、８０％以上、例えば、９８％以下、好ましくは、９５％以下である。
【０１５４】
このような採光フィルム１を製造するには、図１０Ｂに示すように、第１透明層２０および金属層６１を備える第１単位フィルム２９と、第２透明層２１および金属層６１を備える第２単位フィルム３０とを、それぞれ複数枚調製する。
【０１５５】
このような第１単位フィルム２９を調製する方法としては、例えば、第１透明層２０の表面（厚み方向の一方面）に金属層６１を配置して、加工シートを調製した後、その加工シートから所定の形状の第１単位フィルム２９を切り出す方法や、所定の形状に加工した第１透明層２０の表面に金属層６１を配置して、第１単位フィルム２９とする方法などが挙げられる。また、第２単位フィルム３０を調製する方法としては、第１透明層２０を第２透明層２１に変更する点以外は、第１単位フィルム２９を調製する方法と同様の方法が挙げられる。
【０１５６】
第１透明層２０（または第２透明層２１）の表面に金属層６１を配置する方法としては、例えば、第１透明層２０（または第２透明層２１）と金属層６１とを別途調整して、それらを積層する方法、第１透明層２０（または第２透明層２１）の表面に金属層６１を形成する方法などが挙げられ、好ましくは、透明層９の表面に金属層６１を形成する方法が挙げられる。
【０１５７】
第１透明層２０（または第２透明層２１）の表面に金属層６１を形成する方法としては、例えば、公知の成膜方法により、第１透明層２０（または第２透明層２１）の表面に金属層６１を成膜する方法が挙げられる。このような公知の成膜方法としては、例えば、ドライプロセス、ウェットプロセスなどが挙げられ、好ましくは、ドライプロセスが挙げられる。
【０１５８】
次いで、複数の第１単位フィルム２９および複数の第２単位フィルム３０を、第１単位フィルム２９と第２単位フィルム３０とが交互に重なるように、それらの厚み方向に積層して、積層体３１を調製する。
【０１５９】
このような積層体３１では、積層方向に互いに隣接する第１単位フィルム２９および第２単位フィルム３０の間において、接着剤層を設けてもよく、また、接着剤層を設けなくてもよい。積層方向に互いに隣接する第１単位フィルム２９および第２単位フィルム３０の間に接着剤層を設けない場合、積層体３１は、熱圧着（加熱プレス）される。
【０１６０】
以上によって、積層方向に延びる柱状（ブロック状）の積層体３１が形成される。
【０１６１】
次いで、図４および図５に示すように、第１実施形態と同様にして、積層体３１の側面３２（積層方向に沿って延びる表面）に、積層方向に沿うように支持体３を貼り付けた後、支持体３が貼り付けられた積層体３１の側面層３３を、第１単位フィルム２９および第２単位フィルム３０が積層体３１の積層方向に並列するように切断する。
【０１６２】
これによって、一方面に支持体３が貼り付けられた採光層２が、積層体３１から長尺かつ平帯状に切り出される。続いて、採光層２の他方面に剥離体４を貼り付ける。
【０１６３】
以上によって、図１０Ａに示すように、採光フィルム１が調製される。
【０１６４】
このような第３実施形態においても、上記した第１実施形態と同様の作用効果を奏することができる。
６．変形例
上記の第１実施形態〜第３実施形態では、複数の透明層９は、第１透明層２０および第２透明層２１のみを含むが、複数の透明層９は、第１透明層２０および第２透明層２１に加え、屈折率が、第１透明層２０および第２透明層２１のそれぞれの屈折率と異なる第３透明層を含んでいてもよい。第３透明層を形成する第３樹脂材料としては、第１樹脂材料と同様の樹脂材料、および、第２樹脂材料と同様の樹脂材料などが挙げられる。
【０１６５】
このような変形例によれば、太陽の高度が変化した場合であっても、効率よくより一層安定して採光することができる。
【０１６６】
なお、これら第１実施形態〜第３実施形態および変形例のそれぞれは、適宜組み合わせることができる。
【実施例】
【０１６７】
以下に実施例を示し、本発明をさらに具体的に説明するが、本発明は、それらに限定されない。なお、実施例中の寸法などの数値は、上記の実施形態において記載される対応箇所の上限値または下限値に代替することができる。
【０１６８】
実施例１
厚み１００μｍのポリカーボネート（ＰＣ）フィルム（屈折率１．６０、第１加工シート）、および、厚み１００μｍの４フッ化エチレン・６フッ化プロピレン共重合体（ＦＥＰ）フィルム（屈折率１．３４、第２加工シート）のそれぞれを、直径１８ｃｍの円形状に打ち抜き加工して、厚み１００μｍの第１透明層（第１単位フィルム）１０００枚と、厚み１００μｍの第２透明層（第２単位フィルム）１０００枚とを作成した。なお、第１透明層の材料および屈折率と、第２透明層の材料および屈折率と、それらの屈折率差とについて、表１に示す。
【０１６９】
次いで、第１透明層および第２透明層を、それらの間に接着剤を用いることなく、交互に積層した後、積層方向の両側から圧力（５ＭＰａ）をかけて円柱形状に保持して、積層体を調製した。積層体は、直径１８ｃｍ×高さ（積層方向の寸法）２０ｃｍ（１００μｍ×１０００枚＋１００μｍ×１０００枚）であった。
【０１７０】
次いで、積層体および支持体を、図５に示す切削装置４０にセットした。
【０１７１】
具体的には、積層体を１対の保持部材４２に積層方向の両側から挟むように保持させるとともに、支持体を回転軸４１に巻回して支持体ロールとして構成した。
【０１７２】
このとき、１対の保持部材４２は、積層体を積層方向の両側から上記の圧力（５ＭＰａ）で挟んだ。また、支持体は、厚み４０μｍのポリプロピレンフィルム（基材）と、厚み３０μｍのアクリル系粘着剤層（粘着剤層）とを有していた。アクリル系粘着剤層は、ポリプロピレンフィルムの一方面に形成されており、ポリプロピレンフィルムの他方面には、剥離処理剤による剥離処理層が設けられていた。
【０１７３】
また、積層体が１対の保持部材４２に保持された状態において、積層体の側面に、切削刃３５の先端を接触させた。なお、切削刃３５は、積層体の積層方向に沿うように配置した。
【０１７４】
そして、支持体ロールから引き出した支持体を、粘着剤層が積層体の側面に接着するように、積層体の接線方向に向かって引き回し、積層体における中心角２４０°の範囲の積層体の側面に貼り付けた。
【０１７５】
続いて、１対の保持部材４２を、切削装置４０のモータ（図示せず）により、保持部材４２の軸線方向一方（図５の紙面手前側）から見て反時計回り方向に回転駆動させた。
【０１７６】
そうすると、１対の保持部材４２に保持される積層体が、軸線を中心として回転するとともに、支持体ロールが回転軸４１の軸線を中心として従動した。
【０１７７】
これにより、支持体が貼り付けられた積層体の側面層が、かつら剥きのように連続的に切り出された。
【０１７８】
以上により、一方面に支持体が貼り付けられる採光層（積層体の側面層）が、長尺かつ平帯状に切り出された。なお、採光層の厚みは、１５０μｍであった。
【０１７９】
このような採光層は、ポリカーボネートからなる第１透明層、および、４フッ化エチレン・６フッ化プロピレン共重合体からなる第２透明層が、積層方向（採光層としては厚み方向と直交する面方向）において、空気層１０を隔てて交互に連続して配置された。つまり、積層方向は、第１方向の一例として対応し、上記第１実施形態〜第３実施形態の上下方向に対応する。
【０１８０】
また、第１透明層の上下方向の寸法は、１００μｍであり、第２透明層の上下方向の寸法は、１００μｍであり、空気層の上下方向の寸法は、１μｍであった。
【０１８１】
そして、片面セパレータ付両面テープ（剥離体）を別途準備し、その片面セパレータ付両面テープの粘着剤層を、採光層の他方面（切削面）に接着させた。また、片面セパレータ付両面テープは、厚み５０μｍのＰＥＴフィルム（剥離材、セパレータ）と、厚み５０μｍのアクリル系粘着剤層（粘着剤層）とを有していた。アクリル系粘着剤層は、ＰＥＴフィルムの一方面に形成されており、ＰＥＴフィルムの他方面には、剥離処理剤による剥離処理層が設けられていた。
【０１８２】
これによって、支持体および両面テープが、採光層を挟むように、採光層に貼り付けられ、採光フィルムが調製された。なお、採光フィルムの厚み方向の寸法は、３２０μｍであった。
【０１８３】
その後、採光フィルムを、貼り付けられるガラス窓の寸法に合わせて、適宜カットした。これによって、長辺８５ｃｍ×短辺２０ｃｍの平面視長方形状の採光フィルムを得た。
【０１８４】
実施例２
第１加工シートを、厚み１００μｍのポリ塩化ビニル（ＰＶＣ）フィルム（屈折率１．５４）に変更した点、および、第２加工シートを、厚み１００μｍのアクリル樹脂フィルム（屈折率１．４９）に変更した点以外は、実施例１と同様にして、採光フィルムを得た。
【０１８５】
このような採光フィルムの採光層は、ポリ塩化ビニルからなる第１透明層、および、アクリル樹脂からなる第２透明層が、積層方向（採光層としては厚み方向と直交する面方向）において、空気層１０を隔てて交互に連続して配置された。なお、第１透明層の材料および屈折率と、第２透明層の材料および屈折率と、それらの屈折率差とについて、表１に示す。
【０１８６】
比較例１
厚み１００μｍのポリカーボネートフィルム（屈折率１．６０）から、直径１８ｃｍの円形状の第１透明層を２０００枚を作成した点、および、２０００枚の第１透明層のみを、それらの間に接着剤を用いることなく積層して、円柱形状の積層体を調製した点以外は、実施例１と同様にして、採光フィルムを得た。
【０１８７】
このような比較例１に係る採光層は、ポリカーボネートフィルムからなる第１透明層のみが、積層方向（採光層としては厚み方向と直交する面方向）において、空気層１０を隔てて連続して配置された。なお、第１透明層の材料および屈折率について、表１に示す。
【０１８８】
比較例２
厚み１００μｍの４フッ化エチレン・６フッ化プロピレン共重合体フィルム（屈折率１．３４）から、直径１８ｃｍの円形状の第２透明層を２０００枚を作成した点、および、２０００枚の第２透明層のみを、それらの間に接着剤を用いることなく積層して、円柱形状の積層体を調製した点以外は、実施例１と同様にして、採光フィルムを得た。
【０１８９】
このような比較例２に係る採光層は、４フッ化エチレン・６フッ化プロピレン共重合体からなる第２透明層のみが、積層方向（採光層としては厚み方向と直交する面方向）において、空気層１０を隔てて連続して配置された。なお、第２透明層の材料および屈折率について、表１に示す。
【０１９０】
比較例３
厚み１００μｍのポリ塩化ビニルフィルム（屈折率１．５４）から、直径１８ｃｍの円形状の第１透明層を２０００枚を作成した点、および、２０００枚の第１透明層のみを、それらの間に接着剤を用いることなく積層して、円柱形状の積層体を調製した点以外は、実施例１と同様にして、採光フィルムを得た。
【０１９１】
このような比較例３に係る第１透明層は、ポリ塩化ビニルからなる透明層のみが、積層方向（採光層としては厚み方向と直交する面方向）において、空気層１０を隔てて連続して配置された。なお、第１透明層の材料および屈折率について、表１に示す。
【０１９２】
比較例４
厚み１００μｍのアクリル樹脂フィルム（屈折率１．４９）から、直径１８ｃｍの円形状の第２透明層を２０００枚を作成した点、および、２０００枚の第２透明層のみを、それらの間に接着剤を用いることなく積層して、円柱形状の積層体を調製した点以外は、実施例１と同様にして、採光フィルムを得た。
【０１９３】
このような比較例４に係る第２透明層は、アクリル樹脂からなる第２透明層のみが、積層方向（採光層としては厚み方向と直交する面方向）において、空気層１０を隔てて連続して配置された。なお、第２透明層の材料および屈折率について、表１に示す。
【０１９４】
【表１】
2015197500.tif 000003
【０１９５】
（評価）
得られた実施例および各比較例の採光フィルムについて、光の入射角度に対する、光の方向転換効率を、下記のように測定した。
【０１９６】
図１１に示すように、透明のガラス窓９２が設置される壁部９１と、床部９３と、天井部９４とを備える部屋９０を準備した。なお、ガラス窓９２は、長辺８５ｃｍ×短辺２０ｃｍの長方形状であり、ガラス窓９２の厚みは、３ｍｍであった。
【０１９７】
また、照度計９５（テイアンドデイ社製、照度ＵＶレコーダー、商品名：ＴＲ−７４Ｕｉ）およびライト９６（パイフォトニクス社製、商品名：ＨＬ０１Ｗ）を準備した。
【０１９８】
次いで、部屋９０外からライト９６により、ガラス窓９２に対する光の入射角θが４５°となるように、白色光を照射した。なお、ライト９６から照射される光の一部は、透過光Ａとしてガラス窓９２を透過して、部屋９０内を直線的に進行し、床部９３を照らした。一方、ライト９６から照射される光のうち、透過光Ａ以外の光は、ガラス窓９２により部屋９０外に反射された。
【０１９９】
そして、床部９３上において最も明るい箇所に、照度計９５を配置した。具体的には、照度計９５は、床部９３上において、壁部９１から４２．５ｃｍの位置に配置した。そして、照度計９５により、床部９３上の照度を測定し、その値を基準照度とした。
【０２００】
次いで、ガラス窓９２に対する光の入射角θが４５°から６５°まで５°ずつ変化するように、ライト９６を移動させるとともに、各入射角θにおいて、床部９３上の最も明るい箇所に、照度計９５を順次移動させた。具体的には、照度計９５は、入射角θが５０°のとき、壁部９１から３５．７ｃｍの位置に配置され、入射角θが５５°のとき、壁部９１から２９．８ｃｍの位置に配置され、入射角θが６０°のとき、壁部９１から２４．５ｃｍの位置に配置され、入射角θが６５°のとき、壁部９１から１９．８ｃｍの位置に配置された。
【０２０１】
そして、照度計９５により、各入射角θにおける床部９３上の基準照度を測定した。その結果を、表２に示す。
【０２０２】
次いで、採光フィルムの剥離体の剥離材を剥離した後、剥離体の粘着剤層を、ガラス窓９２の内側面に貼り付けた。
【０２０３】
次いで、部屋９０外からライト９６により、ガラス窓９２に対する光の入射角度θが４５°となるように、光を照射した。つまり、透過光Ａの採光フィルムに対する入射角度は、４５°である。また、照度計９５を、床部９３上の壁部９１から４２．５ｃｍの位置に配置した。そして、照度計９５により、床部９３上の照度を測定し、その値を測定照度とした。
【０２０４】
なお、透過光Ａの一部は、ガラス窓９２を透過した後、採光フィルムの複数の空気層に反射され、方向転換光Ａ１として、天井部９４に向かうように上方に進行し、透過光Ａの他の光Ａ２は、採光フィルムを通過した後、床部９３に向かうように下方に進行した。
【０２０５】
次いで、ガラス窓９２に対する光の入射角度θが４５°から６５°まで５°ずつ変化するように、ライト９６を移動させるとともに、照度計９５を、床部９３上において、壁部９１から３５．７ｃｍ、２９．８ｃｍ、２４．５ｃｍ、１９．８ｃｍの位置に順次移動させた。そして、各入射角度θにおける床部９３上の測定照度を測定した。
【０２０６】
そして、下記式（１）により、各入射角度θにおける光の方向転換効率を算出した。その結果を表１に示す。
【０２０７】
式（１）
光の方向転換効率［％］＝（（基準照度［ｌｘ］−測定照度［ｌｘ］）／基準照度［ｌｘ］）×１００
【０２０８】
【表２】
2015197500.tif 000004
【０２０９】
また、光の入射角度θに対する方向転換効率の変化を、図１２および図１３に示す。
【０２１０】
図１２に示すように、比較例１では、入射角度θが大きいときに（例えば、入射角度θ＝６０°のときに）、光の方向転換効率が高く、入射角度θが小さくなるにつれて、光の方向転換効率が低下する。また、比較例２では、入射角度θが小さいときに（例えば、入射角度θ＝５０°のときに）、光の方向転換効率が高く、入射角度θが大きくなるにつれて、光の方向転換効率が低下する。
【０２１１】
これに対して、実施例１では、入射角度θの変化に依存せず、安定した光の方向転換効率が確保されている。具体的には、実施例１では、光の方向転換効率の最高値（入射角度θ＝５０°のとき）と、光の方向転換効率が最低値（入射角度θ＝６５°のとき）との差が、比較例１および２のそれぞれにおける、光の方向転換効率の最高値と最低値との差と比較して小さくなっている。
【０２１２】
そのため、時刻の変化や季節の変化により、太陽の高度（入射角度）が変化する場合においても、安定して採光することができる。
【０２１３】
また、図１３に示すように、比較例３では、入射角度θが６０°のときに、光の方向転換効率が高く、入射角度θが６０°から増減するにつれて、光の方向転換効率が低下する。また、比較例４では、入射角度θが５５°のときに、光の方向転換効率が高く、入射角度θが５５°から増減するにつれて、光の方向転換効率が低下する。
【０２１４】
これに対して、実施例２では、入射角度θの変化に依存せず、安定した光の方向転換効率が確保されている。具体的には、実施例２では、光の方向転換効率の最高値（入射角度θ＝５５°または６０°のとき）と、光の方向転換効率の最低値（入射角度θ＝４５°のとき）との差が、比較例３および４のそれぞれにおける、光の方向転換効率の最高値と最低値との差と比較して小さくなっている。
【０２１５】
そのため、時刻の変化や季節の変化により、太陽の高度（入射角度）が変化する場合においても、安定して採光することができる。
【０２１６】
とりわけ、実施例１および２では、入射角度θが４５°〜６５°の範囲で安定して採光できるので、例えば、南中高度が４５°〜６５°の範囲である場所において、安定して採光できる。具体的には、実施例１および２の採光フィルムは、春分および秋分における南中高度が５４°である東京（日本）などにおいて、１年のうちの大部分の期間で安定して採光することができる。
【符号の説明】
【０２１７】
１      採光フィルム
９      透明層
１０    空気層
２０    第１透明層
２１    第２透明層
６１    金属層
Ｘ      採光フィルムの厚み方向
【図１】
2015197500.tif 000005
【図２】
2015197500.tif 000006
【図３】
2015197500.tif 000007
【図４】
2015197500.tif 000008
【図５】
2015197500.tif 000009
【図６】
2015197500.tif 000010
【図７】
2015197500.tif 000011
【図８】
2015197500.tif 000012
【図９】
2015197500.tif 000013
【図１０】
2015197500.tif 000014
【図１１】
2015197500.tif 000015
【図１２】
2015197500.tif 000016
【図１３】
2015197500.tif 000017